【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
装置であって、
第１のトランシーバ回路であって、前記第１のトランシーバ回路は、第１の通信ネットワーク媒体を使用して複数の第１のデバイスと通信するように構成され、および前記第１のトランシーバ回路は、装置と前記複数の第１のデバイスとの間の通信のステータスを表示するビジュアルインジケータも含む、第１のトランシーバ回路と、
第２のトランシーバ回路であって、前記第２のトランシーバ回路は、第２の通信ネットワーク媒体を使用して複数の第２のデバイスと通信するように構成された、第２のトランシーバ回路と、
前記第１のトランシーバ回路および前記第２のトランシーバ回路に結合されたコントローラであって、前記コントローラは、前記装置と前記複数の第２のデバイスとの間の通信の前記ステータスを判定し、および前記ステータスを前記第１のトランシーバ回路の前記ビジュアルインジケータに提供する、コントローラとを備える、前記装置。
【請求項２】
前記コントローラは、前記ビジュアルインジケータが、前記第１の通信ネットワーク媒体上の通信の前記ステータスか、または前記第２の通信ネットワーク媒体上の通信の前記ステータスを表現するのに使用されるかどうかを判定する、請求項１に記載の装置。
【請求項３】
前記複数の第１のデバイスは、前記複数の第２のデバイスと同じである、請求項１に記載の装置。
【請求項４】
前記第２のトランシーバ回路は、ブロードキャストコンテンツを受信する能力がある入力回路を含む、請求項１に記載の装置。
【請求項５】
前記ブロードキャストコンテンツは、衛星ブロードキャストプロバイダによって提供される、請求項４に記載の装置。
【請求項６】
前記ビジュアルインジケータは、少なくとも１つのＬｉｎｋステータスおよびＡｃｔｉｖｉｔｙステータスを表示する発光素子である、請求項１に記載の装置。
【請求項７】
前記第１のトランシーバ回路は、前記第１の通信ネットワーク媒体上の通信のＬｉｎｋステータスと前記第２の通信ネットワーク媒体上の通信のＡｃｔｉｖｉｔｙステータスを表現するのに使用される第１のビジュアルインジケータを含む、請求項１に記載の装置。
【請求項８】
前記第１のトランシーバ回路は、前記第１の通信ネットワーク媒体上の通信の前記Ａｃｔｉｖｉｔｙステータスと前記第２の通信ネットワーク媒体上の通信の前記Ｌｉｎｋステータスを表現するのに使用される第２のビジュアルインジケータを含む、請求項７に記載の装置。
【請求項９】
少なくとも１つの前記第１のビジュアルインジケータおよび前記第２のビジュアルインジケータは、前記第１の通信ネットワーク媒体上の通信のための第１の色を有し、および前記第２の通信ネットワーク媒体上の通信のための第２の色を有するインジケータライトを使用する、請求項８に記載の装置。
【請求項１０】
前記第２のトランシーバ回路は、前記第２の通信ネットワーク媒体に同軸ケーブルを使用する、請求項１に記載の装置。
【請求項１１】
通信の前記ステータスを表現する前記ビジュアルインジケータは、前記装置を前記複数の第１のデバイスに接続するコネクタの一部に含まれる、請求項１に記載の装置。
【請求項１２】
前記装置は、セットトップボックスである、請求項１に記載の装置。
【請求項１３】
前記第１のトランシーバ回路は、Ｅｔｈｅｒｎｅｔ（登録商標）回路である、請求項１に記載の装置。
【請求項１４】
前記第２のトランシーバ回路は、ＭｏＣＡ（Ｍｕｌｔｉｍｅｄｉａ  ｏｖｅｒ  Ｃａｂｌｅ  Ａｌｌｉａｎｃｅ）回路を含む、請求項１に記載の装置。
【請求項１５】
デバイスが第１の通信ネットワークで動作しているかどうかを判定するステップと、
前記デバイスが第２の通信ネットワークで動作しているかどうかを判定するステップと、
前記デバイスが前記第１の通信ネットワークで動作していれば、前記デバイスのビジュアルインジケータを使用して前記デバイスが前記第１の通信ネットワークで動作しているというビジュアル表示を表示するステップであって、前記ビジュアルインジケータは、前記第１の通信ネットワークと前記第２の通信ネットワークとで共有される、表示するステップと、
を備える、方法。
【請求項１６】
前記ビジュアルインジケータが前記第１の通信ネットワーク上の通信のステータスか、または前記第２の通信ネットワーク上の通信のステータスを表現するのに使用されるかどうかを判定するステップをさらに備える、請求項１５に記載の方法。
【請求項１７】
前記ビジュアルインジケータは、少なくとも１つのＬｉｎｋステータスおよびＡｃｔｉｖｉｔｙステータスを表示する発光素子である、請求項１５に記載の方法。
【請求項１８】
前記発光素子は、前記第１の通信ネットワークの前記Ｌｉｎｋステータスおよび前記第２の通信ネットワークの前記Ａｃｔｉｖｉｔｙステータスを表現するのに使用される、請求項１７に記載の方法。
【請求項１９】
前記発光素子は、前記第１の通信ネットワークの前記Ｌｉｎｋステータスを表示する第１の色と、前記第２の通信ネットワークの前記Ａｃｔｉｖｉｔｙステータスを表示する第２の色とを使用する、請求項１８に記載の方法。
【請求項２０】
前記ビジュアルインジケータは、前記デバイスを前記第２の通信ネットワークに接続するコネクタの一部に含まれる、請求項１５に記載の方法。
【請求項２１】
前記デバイスは、セットトップボックスである、請求項１５に記載の方法。
【請求項２２】
前記第２の通信ネットワークはＥｔｈｅｒｎｅｔ通信ネットワークであり、および前記第１の通信ネットワークはＭｏＣＡ（Ｍｕｌｔｉｍｅｄｉａ  ｏｖｅｒ  Ｃａｂｌｅ  Ａｌｌｉａｎｃｅ）ネットワークである、請求項１５に記載の方法。
【請求項２３】
デバイスが第１の通信ネットワークまたは第２の通信ネットワークで動作しているかどうかを判定するための手段と、
前記デバイスが前記第１の通信ネットワークで動作していれば、前記デバイスのビジュアルインジケータを使用して前記デバイスが前記第１の通信ネットワークで動作しているというビジュアル表示を表示するための手段であって、前記ビジュアルインジケータは、前記第１の通信ネットワークと前記第２の通信ネットワークとで共有される、表示するための手段とを備える、装置。
【手続補正２】
【補正対象書類名】明細書
【補正対象項目名】００３２
【補正方法】変更
【補正の内容】
【００３２】
ＯＤＵ（屋外ユニット）２０１は、衛星から地球近傍軌道の無線通信リンクを介して信号を受信する。ＯＤＵ２０１は、セットトップボックス２０２に接続されている。セットトップボックス２０２内では、入力はフィルタ２０３に接続されている。フィルタ２０３は、スプリッタ２０４に接続している。スプリッタ２０４は、２つの信号処理パスに接続している。第１のパスは、チューナ２０５、リンク回路２０６、およびトランスポートデコーダ２０８を含み、直列に接続されている。第２のパスは、チューナ２１０、リンク回路２１２、およびトランスポートデコーダ２１４を含み、直列に接続されている。トランスポートデコーダ２０８とトランスポートデコーダ２１４の出力はそれぞれ、コントローラ２１６に接続している。コントローラ２１６は、セキュリティインタフェース２１８、外部通信インタフェース２２０、ユーザパネル２２２、リモート制御レシーバ２２４、音声／映像出力２２６、電源２２８、メモリ２３０、およびＯＤＵ制御２３２に接続している。外部通信インタフェース２２０、リモート制御レシーバ２２４、音声／映像出力２２６、および電源２２８は、セットトップボックス２０２の外部インタフェースを備える。ＯＤＵ制御２３２は、スプリッタ２０４とも接続している。フィルタ２０３は、ＭｏＣＡ回路２３４とも接続している。ＭｏＣＡ回路２３４はさらに、コントローラ２１６に接続している。
【手続補正３】
【補正対象書類名】明細書
【補正対象項目名】００４５
【補正方法】変更
【補正の内容】
【００４５】
コントローラ２１６は、ＯＤＵ制御２３２も制御する。ＯＤＵ制御２３２は、シグナリングを提供して、電源信号をＯＤＵ２０１とセットトップボックス２０２間に延びている同軸ケーブル（複数）に供給することによって電源信号を返す。一実施形態において、ＯＤＵ制御２３２は、コントローラ２１６から入力制御信号を受信して、１セットのプログラムまたはコンテンツを包含するある信号ストリームをフィルタ２０３に提供して、さらにチューナ２０５およびチューナ２１０にも提供するためにＯＤＵ２０１の特定部分に異なる直流電圧レベルを与える。別の実施形態において、ＯＤＵ制御２３２は、入力をコントローラ２１６から、さらにリンク回路２０６およびリンク回路２１２からも受信して、低周波数キャリアベースの周波数シフトキーイング変調を使用して直流電圧レベルおよび別個の同調制御信号をＯＤＵ２０１に提供する。コントローラ２１６は、直流（ＤＣ）電圧または制御信号のいずれかをＯＤＵ２０１に提供することによって制御コマンドを望ましいＯＤＵコントローラ２３０に送信することもできる。
【手続補正４】
【補正対象書類名】明細書
【補正対象項目名】００６１
【補正方法】変更
【補正の内容】
【００６１】
Ｅｔｈｅｒｎｅｔコネクタ３４０は、外部ネットワーク間のＥｔｈｅｒｎｅｔ方式の通信信号を受信し、磁気インタフェース３４２を介してＥｔｈｅｒｎｅｔ通信プロセッサ３６０に送信する。磁気インタフェース３４２は、物理コネクタインタフェース（例えば、ＲＪ−４５）を含むことができ、さらにフェライト、変圧器、インダクタ、レジスタ、およびキャパシタを含む、いくつかの信号調整・分離コンポーネントを含むことができるが、これらに限定されない。さらに、Ｅｔｈｅｒｎｅｔコネクタ３４０は、２つのインジケータライトまたはＬＥＤである、ラベル付きのインジケータライト３４４およびインジケータライト３４６とを含む。これらのインジケータライト３４４および３４６は、レジスタ３５２および３５４からフリップフロップ３５６および３５８を介して提供されるステート（例えば、セット、リセット）に基づいてユーザにビジュアルステータス表示を与える。動作性能が向上するようにフリップフロップ３５６とインジケータライト３４４間およびフリップフロップ３５８とインジケータライト３４６間に抵抗接続が設けられている。好適な実施形態において、各インジケータライト３４４と３４６の１つの端部は、３．３ボルト電圧源に接続されている。各インジケータライト３４４と３４６は、各インジケータライト３４４と３４６に接続されたリップフロップ３５６と３５８が低電位（例えば、接地）状態である時に光る。各インジケータライト３４４と３４６は、フリップフロップ３５６と３５８が高電位（例えば、３．３ボルト）状態またはハイインピーダンス状態のいずれかである時に消える。
【手続補正５】
【補正対象書類名】明細書
【補正対象項目名】００８５
【補正方法】変更
【補正の内容】
【００８５】
本開示は、複数のホーム通信ネットワークで動作する能力を含むデバイスにステータスインジケータを提供するための実施形態を説明している。特に、本実施形態は、第１の通信ネットワーク（例えば、Ｅｔｈｅｒｎｅｔネットワーク）に使用されるステータスインジケータの動作を第２のネットワーク（例えば、ＭｏＣＡネットワーク）と共有する装置および方法を開示している。本実施形態は、既存のＥｔｈｅｒｎｅｔ「リンク（Ｌｉｎｋ”）」および「アクティビティ（Ａｃｔｉｖｉｔｙ）」インジケータライト（例えば、発光ダイオード（ＬＥＤ））を使用して、ＭｏＣＡモードのＭｏＣＡ「リンク（Ｌｉｎｋ”）」および「アクティビティ（Ａｃｔｉｖｉｔｙ）」を表示する。
【手続補正６】
【補正対象書類名】明細書
【補正対象項目名】００８７
【補正方法】変更
【補正の内容】
【００８７】
本開示の教示を具体化した実施形態が本明細書に詳細に説明されているが、当業者は、この教示をさらに具体化する他の多くの異なる実施形態を容易に考案することができる。メディアコンテンツのデータベースをデバイスで管理するための方法および装置の好適な実施形態（実例にすることを意図とし、これらに限定されない）を説明したが、変更および変形形態は、上記の教示に照らして当業者によって行われ得ることに留意されたい。従って、添付の特許請求の範囲で要約されたように本開示の範囲内において本開示の特定の実施形態の変更が行われてもよいことを理解されたい。
本発明は以下の態様を含む。
（付記１）
装置（２００）であって、
第１のトランシーバ回路（２２０）であって、前記第１のトランシーバ回路は、第１の通信ネットワーク媒体を使用して複数の第１のデバイスと通信するように構成され、および前記第１のトランシーバ回路は、前記装置と前記複数の第１のデバイスとの間の通信のステータスを表示するビジュアルインジケータも含む、第１のトランシーバ回路と、
第２のトランシーバ回路（２３４）であって、前記第２のトランシーバ回路は、第２の通信ネットワーク媒体を使用して複数の第２のデバイスと通信するように構成された、第２のトランシーバ回路と、
前記第１のトランシーバ回路と前記第２のトランシーバ回路に結合されたコントローラ（２１６）であって、前記コントローラは、前記装置と前記複数の第２のデバイスとの間の通信の前記ステータスを判定し、および前記ステータスを前記第１のトランシーバ回路の前記ビジュアルインジケータに提供する、コントローラとを備える、前記装置。
（付記２）
前記コントローラ（２１６）は、前記ビジュアルインジケータが、前記第１の通信ネットワーク上の通信の前記ステータスか、または前記第２の通信ネットワーク上の通信の前記ステータスを表現するのに使用されるかどうかを判定する、付記１に記載の装置（２００）。
（付記３）
前記複数の第１のデバイスは、前記複数の第２のデバイスと同じである、付記１に記載の装置（２００）。
（付記４）
前記第２のトランシーバ（２３４）回路は、ブロードキャストコンテンツを受信する能力がある入力回路を含む、付記１に記載の装置（２００）。
（付記５）
前記ブロードキャストコンテンツは、衛星ブロードキャストプロバイダによって提供される、付記４に記載の装置（２００）。
（付記６）
前記ビジュアルインジケータは、少なくとも１つのＬｉｎｋステータスおよびＡｃｔｉｖｉｔｙステータスを表示する発光素子である、付記１に記載の装置（２００）。
（付記７）
前記第１のトランシーバ（２２０）は、前記第１の通信ネットワーク媒体上の通信の前記Ｌｉｎｋステータスと前記第２の通信ネットワーク媒体上の通信の前記Ａｃｔｉｖｉｔｙステータスを表現するのに使用される第１のビジュアルインジケータを含む、付記１に記載の装置（２００）。
（付記８）
前記第１のトランシーバ（２２０）は、前記第１の通信ネットワーク媒体上の通信の前記Ａｃｔｉｖｉｔｙステータスと前記第２の通信ネットワーク媒体上の通信の前記Ｌｉｎｋステータスを表現するのに使用される第２のビジュアルインジケータを含む、付記７に記載の装置（２００）。
（付記９）
少なくとも１つの前記第１のビジュアルインジケータおよび前記第２のビジュアルインジケータは、前記第１の通信ネットワーク上の通信のための第１の色を有し、および前記第２の通信ネットワーク上の通信のための第２の色を有するインジケータライトを使用する、付記８に記載の装置（２００）。
（付記１０）
前記第２のトランシーバ回路（２３４）は、前記第２の通信ネットワーク媒体に同軸ケーブルを使用する、付記１に記載の装置（２００）。
（付記１１）
通信の前記ステータスを表現する前記ビジュアルインジケータは、前記装置を前記複数の第１のデバイスに接続するコネクタの一部に含まれる、付記１に記載の装置（２００）。
（付記１２）
前記装置（２００）は、セットトップボックスである、付記１に記載の装置（２００）。
（付記１３）
前記第１のトランシーバ回路（２２０）は、Ｅｔｈｅｒｎｅｔ回路である、付記１に記載の装置（２００）。
（付記１４）
前記第２のトランシーバ回路（２３４）は、ＭｏＣＡ（Ｍｕｌｔｉｍｅｄｉａ  ｏｖｅｒ  Ｃａｂｌｅ  Ａｌｌｉａｎｃｅ）回路を含む、付記１に記載の装置（２００）。
（付記１５）
デバイスが第１の通信ネットワークで動作しているかどうかを判定する（４２０）ステップと、
前記デバイスが第２の通信ネットワークで動作しているかどうかを判定する（４４０）ステップと、
前記デバイスが前記第１の通信ネットワークで動作していれば、前記デバイスのビジュアルインジケータを使用して前記デバイスが前記第１の通信ネットワークで動作しているというビジュアル表示を表示する（４５０）ステップであって、前記ビジュアルインジケータは、前記第１の通信ネットワークと前記第２の通信ネットワークとで共有される、表示するステップとを備える、方法（４００）。
（付記１６）
前記ビジュアルインジケータが前記第１の通信ネットワーク上の通信の前記ステータスか、または前記第２の通信ネットワーク上の通信の前記ステータスを表現するのに使用されるかどうかを判定する（４６０）ステップをさらに備える、付記１５に記載の方法（４００）。
（付記１７）
前記ビジュアルインジケータは、少なくとも１つのＬｉｎｋステータスおよびＡｃｔｉｖｉｔｙステータスを表示する発光素子である、付記１５に記載の方法（４００）。
（付記１８）
前記発光素子は、前記第１の通信ネットワークの前記Ｌｉｎｋステータスおよび前記第２の通信ネットワークの前記Ａｃｔｉｖｉｔｙステータスを表現するのに使用される、付記１７に記載の方法（４００）。
（付記１９）
前記発光素子は、前記第１の通信ネットワークの前記Ｌｉｎｋステータスを表示する第１の色と、前記第２の通信ネットワークの前記Ａｃｔｉｖｉｔｙステータスを表示する第２の色とを使用する、付記１８に記載の方法（４００）。
（付記２０）
前記ビジュアルインジケータは、前記デバイスを前記第２の通信ネットワークに接続するコネクタの一部に含まれる、付記１５に記載の方法（４００）。
（付記２１）
前記デバイスは、セットトップボックスである、付記１５に記載の方法（４００）。
（付記２２）
前記第２の通信ネットワークはＥｔｈｅｒｎｅｔ通信ネットワークであり、および第１の通信ネットワークはＭｏＣＡ（Ｍｕｌｔｉｍｅｄｉａ  ｏｖｅｒ  Ｃａｂｌｅ  Ａｌｌｉａｎｃｅ）ネットワークである、付記１５に記載の方法（４００）。
（付記２３）
装置（２００）であって、
デバイスが第１の通信ネットワークまたは第２の通信ネットワークで動作しているかどうかを判定する（２１６）ための手段と、
前記デバイスが前記第２の通信ネットワークで動作していれば、前記デバイスのビジュアルインジケータを使用して前記デバイスが前記第１の通信ネットワークで動作しているというビジュアル表示を表示する（２２０）ための手段であって、前記ビジュアルインジケータは、前記第１の通信ネットワークと前記第２の通信ネットワークとで共有される、表示するための手段とを備える、前記装置。